【事件の表示】
　平成　７年特許願第３３８４９６号「遊技客管理システム」拒絶査定不服審判事件〔平成　９年　７月　８日出願公開、特開平　９−１７３５９２〕について、次のとおり審決する。
【結　論】
　本件審判の請求は、成り立たない。
【理　由】
第１．手続の経緯
　本願は、平成７年１２月２６日の出願であって、平成１２年１２月２７日付拒絶理由に対応して平成１３年３月１日に手続補正書が提出され、同年４月９日付で拒絶査定がなされ、これに対し、同年５月１７日に拒絶査定不服審判が請求され、同年６月８日に手続補正がなされたものである。
　
　
第２．平成１３年６月８日付の手続補正についての補正却下の決定
　　
［補正却下の決定の結論］
　　平成１３年６月８日付の手続補正を却下する。
　　
　理由
　［１］．補正後の本願発明
　　本件補正により、特許請求の範囲の請求項１〜５は、平成１３年６月８日付手続補正書の特許請求の範囲に記載されたとおりに補正されたところ、その請求項１に記載された発明（以下「本願補正発明１」という）は以下のとおりである。
 　　「遊技客を特定するための識別情報が記憶された識別情報記憶媒体を用いて遊技客毎の遊技履歴データを更新記録することにより遊技客を管理する遊技客管理システムにおいて、
　遊技機に対応して設けられた表示手段を設け、
　前記遊技履歴データの更新記憶内容に応じて遊技客にポイントを与えると共に前記表示手段にポイントの累積数及びそのポイントと対応関係にある遊技履歴データを更新表示し、
　ポイントの累積数に応じて遊技客に遊技に関する所定の特典を与えるようにしたことを特徴とする遊技客管理システム。」
　　
　［２］．補正の要件（独立特許要件）の検討
　　本件補正により特許請求の範囲が減縮されているので、まず、本願補正発明１が特許出願の際独立して特許を受けることができるものであるか（特許法第１７条の２第５項において準用する同法第１２６条第４項の規定に適合するか）について以下に検討する。
　　　＜１＞．引用刊行物記載事項
　　原査定の拒絶の理由に引用された特開平６−１３４１３３号公報（以下、「刊行物Ａ」という。）記載事項
　　　　（Ａ−１）．「(57)【要約】　　【目的】 記憶媒体の所定金額以上の利用等、遊技者の記憶媒体の使用履歴に基づき特典を付与可能な使用履歴確認装置を提供する。
【構成】 度数等を記憶可能なＩＣカード１の記憶値をパチンコ球等と交換し遊技を行う遊技システムにおいて、度数等をＩＣカード１に記憶させた累積度数に関する累積記憶情報または度数等をパチンコ球数等に変換させた累積球数等に関する累積変換情報または遊技機における特別遊技等の累積発生回数に関する遊技履歴情報を含む使用履歴記憶を記憶し、ＩＣカード１に設けられる使用履歴記憶手段から使用履歴記憶を読み出す使用履歴読出し手段と、特典付与を行う特典付与手段とを備える。（第１頁左欄下段）
　　　　（Ａ−２）．「【０００３】　【発明が解決しようとする課題】しかしながら、上記のようなプリペイドカードシステムでは、購入金額の高額な場合にはいわゆるプレミアムが付加されるのが一般的であるのに対し、現在知られている上記遊技システムでは、遊技者がカードを購入してもそれだけでは遊技店に対価が還元されず、そのカードを用いて実際に遊技媒体に交換を行った遊技店にのみ対価が還元される仕組みとなっているため、特にプレミアムは付加されていない。また、遊技者が「大当り」のような特別遊技を何回発生させたかというような遊技履歴や、その遊技店への来店回数等、遊技者に関する個人データは収集されていない。そこで、遊技店の営業上、上記従来の遊技システムの改善が望まれていた。本発明は、上記の問題点を解決するためになされたものであり、上記記憶媒体の所定金額以上の利用等、遊技者の記憶媒体の使用履歴に基づき特典を付与可能な使用履歴確認装置を提供することを目的とする。」（第２頁第１欄第３８行〜第２欄第５行）
　　　　（Ａ−３）．「【０００５】　【作用】上記構成を有する本発明に係る使用履歴確認装置によれば、金銭と等価な有価価値（度数等）を記憶媒体に記憶させた累積値に関する累積記憶情報、または有価価値を遊技媒体の数に変換させた累積値に関する累積変換情報、または遊技機における特定の遊技態様の累積発生回数に関する遊技履歴情報、を含む使用履歴記憶を読出し、この使用履歴記憶に基づいて各種の特典を付与することができる。」（第２欄第２０〜２８行）
　　　　（Ａ−４）．「【００１０】遊技者は、また、このＩＣカード１を用いて、遊技店内で飲料や食品等を自動販売機５から購入することもできる。そのほか、ＩＣカード１には、この遊技者の遊技履歴、カード使用履歴も同時に記憶することができるので、この遊技店の利用頻度、遊技頻度の高い、いわゆる「顧客」であるか否かが即座に判定できる。この履歴を使用履歴確認装置６で読み取り、遊技費用の割引、賞球等の増加等、各種の特典を付与することもできる。」（第３欄第８〜１６行）
　　　　（Ａ−５）．「【００８０】上記の使用履歴記憶手段は、図１４に示すように、ＩＣカード１がどの機器に対して使用されたかを判定しそのデータをどの記憶手段に格納するかを制御する使用種別判定手段と、遊技者が度数等をＩＣカード１に記憶させた累積値に関する累積記憶情報を記憶する有価価値購入累計記憶手段と、度数等をパチンコ球数等に変換させた累積値に関する累積変換情報を記憶する遊技媒体変換累計記憶手段と、遊技機における特別遊技等の特定遊技態様の累積発生回数に関する遊技履歴情報を記憶する特定遊技態様発生記憶手段と、遊技者が上記遊技媒体数を景品や物品にどれだけ交換したかを表すデータを記憶する遊技媒体数変化情報記憶手段と、上記の各記憶手段の記憶値に基づき、例えば、有価価値の購入累計が多い場合や、遊技媒体変換累計が多い場合、あるいは特定遊技態様の累積発生回数が多い場合には、このカードの所持者である遊技者は、その遊技店にとって優良な顧客であると判断して特典付与を行うように制御する制御信号を発生する特典判定制御手段と、を有している。」（第１６欄第１９〜３６行）
　　　　（Ａ−６）．「【００８２】この場合、特典付与手段は、遊技者にとって有利な特典を付与するように、このＩＣカード１内の各部を制御する。例えば、図４に示すように、有価価値記憶手段にアクセスし、有価価値の現残高にプレミアム（おまけ）を付加して記憶させる。あるいは、パチンコ機２Ａにアクセスし、有価価値から遊技媒体数への交換比率を増大させるようにしてもよい。他の形態としては、特典付与手段が、このＩＣカード１内の遊技媒体数記憶手段にアクセスし、遊技媒体数の現残高にプレミアム（おまけ）を付加して記憶させることも考えられる。上記の遊技媒体数としては、図５に示すように、遊技媒体第１記憶手段内の記憶値でもよいし、遊技媒体第２記憶手段の記憶値でもよい。」（第１６欄第４２行〜第１７欄第４行）
　　　　（Ａ−６）．「【００８４】また一方、上記の各種データを含む使用履歴記憶は、このＩＣカード１が使用履歴確認装置６に挿入された場合には、使用履歴確認装置６内の使用履歴読出し手段により読み出され、その結果が使用履歴確認装置６内の特典付与制御手段に送られる。」（第１７欄第１２〜１６行）
　　　　（Ａ−７）．「【００８６】上記の使用履歴読出し手段により読み出された上記の各記憶手段の記憶値は、使用履歴表示手段により外部に表示され、遊技者等は、自己のＩＣカードの使用履歴を確認することができる。」（第１７欄第２６〜２９行）
　　　　（Ａ−８）．「【００３５】次に、このＩＣカード１を用いて、遊技機２で遊技を行う場合には、遊技機２に設けられたカード挿入口２８（図６）に入れ、遊技機２の制御領域内に置く。この場合、遊技機２の制御ＣＰＵは、カード挿入口に挿入されたＩＣカードに対し、不正防止等のため、ＩＤコード（識別コード：店名、遊技者コード等）等を要求する。図４の場合は、遊技機２がＩＣカード１内のＩＤ記憶手段に識別コードを要求し、ＩＤ記憶手段が自己の識別コードを出力することになる。」（第７欄第４４行〜第８欄第２行）
　　　　（Ａ−９）．してみると、刊行物Ａには以下の発明（以下「引用発明」という）が記載されている。
　すなわち、
　「ＩＤコード（識別コード：店名、遊技者コード等）、有価価値購入累計、遊技媒体変換累計、特定遊技態様累積発生回数、遊技店の利用頻度、遊技頻度等の使用履歴、及び度数等を記憶させたＩＣカードを用いてパチンコ遊技を行う遊技システムであって、当該使用履歴が使用履歴表示手段にて外部に表示されるとともに、当該履歴に基づいて特典付与を行うようにしたパチンコ機において、付与すべき特典として、遊技費用の割引、賞球の増加、有価価値から遊技媒体数への交換比率を増大させる、遊技媒体数の現残高へのプレミアム（おまけ）の付加等であるパチンコ遊技システム。」
　
　　＜２＞．引用発明と本願補正発明１との対比・判断
　　　（１）．引用発明と本願補正発明１における発明特定事項の対応関係
　　　　　(i)．引用発明における「使用履歴」は、特別遊技、すなわち、大当たり等の回数、来店回数等を記憶しているものであるから、本願補正発明における「遊技履歴データ」に対応する。
　　　　　(ii)．引用発明における「ＩＣカード」は、本願補正発明における「識別情報記録媒体」に対応する。
　　　　　(iii)．引用発明における「使用履歴表示手段」は、使用履歴すなわち遊技履歴データを表示するものであるから、本願補正発明における「表示手段」に対応する。
　　　　　(iv)．引用発明における「特典」は、遊技客に対して賞球数の増加、遊技媒体数の現残高にプレミアム（おまけ）等を付加するものであるから、本願補正発明における「遊技客に遊技に関する所定の特典を与える」に対応する。
　　　　　(v)．引用発明における「使用履歴に基づいて特典付与を行なう」点は、本願補正発明における、遊技履歴データと対応関係にあるポイントの「ポイント累積数」と、特典付与の原因となる「特典付与原因履歴」の点で共通する。
　　　（２）．引用発明と本願補正発明との一致点
　　　　「遊技客を特定するための識別情報が記憶された識別情報記憶媒体を用いて遊技客毎の遊技履歴 データを更新記録することにより遊技客を管理する遊技客管理システムにおいて、
　遊技機に対応して設けられた表示手段を設け、
　当該表示手段に遊技履歴データを更新表示し、
　特典付与原因履歴に応じて遊技客に遊技に関する所定の特典を与えるようにしたことを 特徴とする遊技客管理システム。」
　　　（３）．引用発明と本願補正発明との相違点
         (i)．相違点（あ）
　　　　　　特典付与原因履歴として、本願補正発明は、「ポイントの累積数」を用いており、当該「ポイント」は「遊技履歴データの更新記憶内容に応じて」いるのに対し、引用発明では、前記「遊技履歴データ」に対応する「使用履歴データ」である点
　　　　　(ii)．相違点（い）
　　　　　　表示手段の表示項目が、本願補正発明１は、ポイントの累積数及び遊技履歴データであるのに対し、引用発明では、「遊技履歴データ」に対応する「使用履歴」である点
　　　（４）．相違点の検討
　　　　　(i)．相違点（あ）について、
　　　　　　顧客に対するサービス手段として、顧客の購入金額等顧客の行為をポイント化して当該ポイントの累積値により各種サービスを受けることができるようにする、ポイントサービス手段は、例えば、特開平１−１０２６９４号公報（以下「周知例１」という）、特開平１−２８１５９４号公報（以下「周知例２」という）に見られるように、さらには、本願明細書の段落【０００２】にも記載されているように周知のサービス手段である。
  したがって、顧客の有価価値購入金額を含む「使用履歴データ」をポイント化して、前記周知のポイントサービス手段とすることは当業者ならば適宜為し得る設計的事項であり、その効果も予測の範囲内のものであり、格別のものではない。
　　　　　(ii)．相違点（い）について、
　　　　　　ポイント累積数を表示することは、前記周知例１，２に示されるようにポイントサービス手段においては周知の事項であるから、ポイントサービス手段を採用することにより、既に表示対象である遊技履歴、及び遊技履歴に対応するポイント累積数を表示することは当業者が適宜為し得る設計的事項であり、その効果も格別のものとは認められない。
　　　（５）．まとめ
　　　　本願補正発明１は、引用発明、及び、周知技術に基づいて、当業者が容易に発明をすることができたものであるから、特許法第２９条第２項の規定により特許出願の際独立して特許を受けることができないものである。
　
　　＜３＞．むすび
　　　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
　　
第３．本願発明の検討
　［１］．本願発明
　　平成１３年６月８日付の手続補正は上記のとおり却下されたので、本願の請求項１〜５に係る発明は、平成１３年３月１日付手続補正書の特許請求の範囲の請求項１〜５に記載された事項により特定されるものであるところ、その請求項１に記載された発明（以下、本願発明１」という。）は、以下のとおりのものである。
　「遊技客を特定するための識別情報が記憶された識別情報記憶媒体を用いて遊技客毎の遊技履歴データを更新記憶することにより遊技客を管理する遊技客管理システムにおいて、
　遊技機に対応して設けられた表示手段を設け、
　前記遊技履歴データの更新記憶内容に応じて遊技客にポイントを与えると共に前記表示手段にポイントの累積数をリアルタイムに更新表示し、ポイントの累積数に応じて遊技客に遊技に関する所定の特典を与えるようにしたことを特徴とする遊技客管理システム。」
　
　［２］．引用例刊行物記載事項
　　原査定の拒絶の理由に引用された刊行物、および、その記載事項は、前記「第２．［２］．＜１＞」に記載したとおりである。
　
　［３］．引用発明と本願発明１との対比・判断
　　（１）．一致点
      「遊技客を特定するための識別情報が記憶された識別情報記憶媒体を用いて遊技客毎の遊技履歴データを更新記憶することにより遊技客を管理する遊技客管理システムにおいて、
　遊技機に対応して設けられた表示手段を設け、
　特典付与原因履歴に応じて遊技客に遊技に関する所定の特典を与えるようにしたことを特徴とする遊技客管理システム。」
　　（２）．相違点
　　　　(i)．相違点ア
　　　　　特典付与原因履歴が、本願発明１は、「ポイントの累積数」であり、当該「ポイント」は「遊技履歴データの更新記憶内容に応じて」いるのに対し、引用発明では、前記「遊技履歴データ」に対応する「使用履歴データ」である点
　　　　(ii)．相違点イ
　　　　　本願発明１は、ポイントの累積値をリアルタイムに更新表示しているのに対し、引用発明においては、ポイントを用いていないので、表示手段にポイントが表示されていない点
　　（３）．相違点の検討
　　　　(i)．相違点アについて、
　　　　　前記「本願補正発明１」において、「相違点の検討」に記載したとおりである。
　　　　(ii)．相違点イについて、
　　　　　遊技に関する履歴は、遊技に応じて時々刻々と変化するものであることからすれば、遊技に関する履歴の表示に際して、リアルタイムで表示させることは当業者にとっては適宜為し得る程度の設計的事項である。
　したがって、当該相違点も格別のものではない。
　
　［４］．むすび
　　　これらの相違点を総合的に勘案しても格別のものとは認められないから、本願発明１は、刊行物Ａに記載された発明、及び、周知技術に基づいて、当業者が容易に発明をすることができたものである。
　したがって、本願発明１は、特許法第２９条第２項の規定により特許を受けることができない。
　よって、結論のとおり審決する。